【手続補正書】
【提出日】平成22年1月14日(2010.1.14)
【手続補正１】
【補正対象書類名】特許請求の範囲
【補正対象項目名】全文
【補正方法】変更
【補正の内容】
【特許請求の範囲】
【請求項１】
前位の搬入機構と同後位の搬出コンベヤとの間に、複数のサイズの異なる袋載積ユニットとを配置して構成するコンベヤラインと、
前記コンベヤラインに沿って縦列運搬する各部位の大きさを測定し、この測定したデータから前記各部位を複数グループに分別すると共に、この分別電子データを記録する制御器と、
前記制御器から順次発信される分別電子データに対応するサイズの袋載積ユニットを、前記搬入機構との対向部に送り出す包袋選択機構と、
前記の選択した袋載積ユニットにおける包袋の開口縁を、可動吸盤で持ち上げて開口しながら、相対的に、前記包袋内に前記の搬入機構を、また同包袋の下側に前記の搬出コンベヤをそれぞれ相対接近させる機構とからなり、
前記の相対接近させる機構を、前記搬入機構に搭載して規定の位置に停止している部位を、前記搬入機構の突き出し運動と、同搬入機構による送り出し運動とでもって前記包袋内に押し入れるのに続いて、該部位を前記搬出コンベヤに移乗させ、続いて該搬出コンベヤの回転で前記部位を搬送しながら、それを覆う包袋のサイズデータから割り出される同包袋の開口縁の動きを監視して、該開口縁が前記搬出コンベヤに設けたシール台上を通過するタイミングに合わせて、該シール台と、それに接近するシールバーでもって前記開口縁を挟圧し、前記搬出コンベヤの回転と同調移動する前記両シーラでもって前記開口縁に点シールを施した包袋を真空包装機に向けて搬出する包装装置。
【請求項２】
搬入機構に搭載して規定の位置に停止している部位を、前記搬入機構の突き出し運動と、同搬入機構による送り出し運動とでもって包袋内に押し入れる装置を、前記搬入機構をベルトコンベヤにより形成し、該ベルトコンベヤの突き出し運動と、同ベルトコンベヤの回転とでもって、前記の部位を包袋内に押し入れるような構成にした請求項１に記載の包装装置。
【請求項３】
搬入機構に搭載して規定の位置に停止している部位を、前記搬入機構の突き出し運動と、同搬入機構による送り出し運動とでもって包袋内に押し入れる装置を、前記搬入機構をベルトコンベヤの下に配置した皿と、該皿内に配置したプレートとにより構成し、該ベルトコンベヤから前記皿の上に受け入れる部位の、同皿による突き出し運動と、前記プレートに前記部位の押し出し運動とでもって、前記部位を包袋内に押し入れるような構成にした請求項１に記載の包装装置。
【請求項４】
コンベヤラインにおける袋載積ユニットの包袋開口縁上域において可動吸盤を上下動させるモータと、前記包袋開口縁に吸い付く前記可動吸盤の作用真空値を測定する真空ゲージと、前記真空ゲージにおける設定真空値を保って前記包袋の開口を定期的に行う機構とからなる装置において、前記真空ゲージによる前記包袋開口時の、前記真空ゲージによる測定値が設定以下の値を示した場合、前記可動吸盤の上動を下動に切り替えて同可動吸盤が再度、前記開口部に向けて吸い付くように、前記モータをコントロールする請求項１に記載の包装装置。
【請求項５】
包袋に吸い付く可動吸盤の真空値が設定値に達したことを、真空ゲージが検出する信号に対応してタイマーによる積算を開始し、このタイマーによる設定時間でもって包袋開口を行う装置において、包袋に押し入れようとする部位が、同包袋の口縁に引っ掛かり可動吸盤から強制剥離することで、前記設定時間内に前記真空ゲージによる測定真空値が低下した場合、前記部位をコンベヤラインとは異なる搬送ラインを逆送して前記コンベヤラインにリサイクルする請求項４に記載の包装装置。
【手続補正２】
【補正対象書類名】明細書
【補正対象項目名】発明の名称
【補正方法】変更
【補正の内容】
【発明の名称】包装装置
【手続補正３】
【補正対象書類名】明細書
【補正対象項目名】０００２
【補正方法】変更
【補正の内容】
【０００２】
解体した屠殺肉は、かっては骨付きのまま市場に出荷されていたが、近年では骨抜き及び脂削りをしたあと、さらにカット分割し、保存性を高めるために、部位1 単位ごとプラスチック製の包袋内に収容したあと、真空包装して出荷する。かかる形態の1 つとして下記の特許文献1に、包袋の袋口を真空カップで吸着して上方に引き上げ開口すると共に、前記開口部から同包袋内に前記部位を搬入コンベヤでもって押し入れる構成が示されるが、部位は大きいもので５０ｃｍ以上、小さいものはその半分程度と容積差があるにもかかわらず、同一面積の包袋を用いることになるので不経済という問題がある。
【手続補正４】
【補正対象書類名】明細書
【補正対象項目名】０００３
【補正方法】変更
【補正の内容】
【０００３】
一方、下記の特許文献２には、部位を押し込み棒で包袋内に充填したあと、同押し込み棒により前記部位と包袋とを一体に真空包装機に押し入れる袋詰め装置及び、前記真空包装機内で一対のへら板で前記包袋の袋口を両側に緊張させて袋口の弛みを取り除く技術を開示する。しかしカットした分割部位といっても牛肉の場合は大きいものでは３０キロを越える塊であるため、このような部位を収容する包袋の袋口は、前記へら板による緊張を取り除くと直ちに袋口には再び大きな弛みが生ずるので、前記へら板を袋口から引き抜く前に、別箇のクランプで前記袋口をシール台に固定しなければならず、この点で作業能率低下は免れないという問題がある。
【手続補正５】
【補正対象書類名】明細書
【補正対象項目名】０００４
【補正方法】変更
【補正の内容】
【０００４】
下記の特許文献３には、コンベヤラインを縦列運搬する各部位を、計測センサーで複数種類に分別すると共に、制御器でこの分別電子データを記録し、この記録電子データを基に前記部位を複数のコンベヤラインに分岐して、これら各分岐ラインに配置した真空包装用耐圧チャンバー内で、前記の分岐した各部位を包装しかつ真空包装する構成を開示するが、このプラスチックシートによる巻きつけ包装では、その開口部に皺が発生しやすいという問題があり、またコンベヤラインにおいて各部位の進行方向を選択するのでスピード低下があるという問題がある。
【手続補正６】
【補正対象書類名】明細書
【補正対象項目名】０００８
【補正方法】変更
【補正の内容】
【０００８】
図１に平面で示す部位１０の搬送用コンベヤラインに交差して、それぞれサイズの異なる包袋を収容した横４個の袋載積ユニット３０を配置し、該袋載積ユニット３０を隔てて前域の、ベルトコンベヤからなる搬入機構２０と、同後域の搬出コンベヤ４０とを直列に設置する。なお部位の搬送方向に向けて最前位のコンベヤ８０は、搬送する部位１０の大きさを計測する計測センサー８２を備え、その測定記録を制御器８３に入力し、同制御器８３から発する信号で各種モータをコントロールすることになるが、その詳しくは後述する。
【手続補正７】
【補正対象書類名】明細書
【補正対象項目名】０００９
【補正方法】変更
【補正の内容】
【０００９】
先に述べた横４個それぞれの袋載積ユニット３０は、図３に示すようにモータ１１の動力がベルトコンベヤ１２及び巻き取り軸１３並びにリール軸１４をインチング回転して、台車１５上に載置したダンボール紙箱１６内に、じぐざぐに折り重ねて配置した連続的な包袋１７を、断続的に引き出す構成である。
【手続補正８】
【補正対象書類名】明細書
【補正対象項目名】００１５
【補正方法】変更
【補正の内容】
【００１５】
すなわち、図８の正面図に示すように、袋載積ユニット３０の配置位置において、その上域の吊柱４４に固定する板フレーム４５に、複数の滑車４６、４７を介して昇降材４８を立て方向に支持し、該昇降材の下端に固定した横長バー４９下面の、複数の真空カップでもって前記の可動吸盤４３を形成する。一方前記板フレーム４５に固定した袋口開口用パルスモータ５０が備えるピニオン５１を、前記昇降材側面のラック５２に係合し、制御器５３との間に設けた回路５４を通して送る部位の分別記録データより、可動吸盤４３の上昇量をコントロールして包袋１７の開口幅を、充填する部位の大きさに合わせて設定するのである。
【手続補正９】
【補正対象書類名】明細書
【補正対象項目名】００１９
【補正方法】変更
【補正の内容】
【００１９】
図１における最前位のコンベヤ８０の拡大は、図１５に図示する。すなわち同コンベヤ８０において部位１０を縦列状に側壁８１に沿って運搬する場合、前記部位の通過域に設置した光電式の計測センサー８２は、その側面と天面とから照射する多数個の赤外線でもって、通過する各部位１０の幅と、同部位１０の通過時間から同部位の長さを測定し、その検出信号を制御器８３に電子記録情報として入力するが、この計測センサー８２の代用としてカメラを使用する場合もある。
【手続補正１０】
【補正対象書類名】明細書
【補正対象項目名】００３４
【補正方法】変更
【補正の内容】
【００３４】
図１におけ４個の袋載積ユニット３０に収容するそれぞれ長さのことなる各包袋は、それぞれの袋口を１列に揃えて配列している関係で、搬入機構２０を前後進させるモータ３１及び、同機構２０のベルトコンベヤ２６を回転させるモータ２８それぞれの回転角を制御して、前記搬入機構２０の包袋への挿入量及び、前記包袋の押し出し量それぞれをコントロールする必要がある。つまりこの調整を正確行わないと、図９においてシールバー６５を、移動する包袋１７の口縁に正確に下降させることができない。
【手続補正１１】
【補正対象書類名】明細書
【補正対象項目名】００３６
【補正方法】変更
【補正の内容】
【００３６】
図１０における搬出コンベヤ４０は、並列する紐ベルトを使用して形成し、これら各紐ベルトの間に配列した飛び石状突起をもつシール台６４に対し、上からシーラを下降させて包袋の開口縁を点シールすると説明したが、この紐ベルト４０を平ベルトにより形成すると共に、この仮想する平ベルト４０に直接、図１１に示すシーラ６５下面の歯型突起７９を押し付けて包袋袋口を挟圧し、前記平ベルト４０とシール台６４とを一体に後退する過程で、前記袋口に点シールすることができる。